【手続補正書】
【提出日】平成18年9月4日(2006.9.4)
【手続補正１】
【補正対象書類名】明細書
【補正対象項目名】００５０
【補正方法】変更
【補正の内容】
【００５０】
他の好ましいバインダーは、フタル酸エステルであり、これらの中でも、フタル酸のモノオルガニルエステル及びフタル酸のビスオルガニルエステル（オルガニルの例は、アルキル、オキシアルキル、アルケニル、アルキニル、アラルキル、アルキルアリールまたはアリールである）であり、好ましいものは、フタル酸のモノアルキルエステル及びフタル酸のジアルキルエステル（アルキル＝線状、分枝状、環状もしくは置換された環状、または複素環式C1-C20アルキル）、例えばフタル酸ジメチル、フタル酸ジエチル、フタル酸ジプロピル、フタル酸ジイソプロピル、フタル酸ジブチル、エポキシド化されたフタル酸ジ(2- エチルヘキシル) 、フタル酸ジイソオクチル、フタル酸ジオクチル、フタル酸ジイソノニル、フタル酸n-オクチル、フタル酸n-デシル、フタル酸ジイソデシル、フタル酸ブチルベンジル、フタル酸ブチルシクロヘキシル、フタル酸ジカプリル、フタル酸ジ(3,5,5- トリメチルヘキシル）、フタル酸ジ(1- アリル-2,2,6,6- テトラメチルピペリジン-4- イル) である。
【手続補正２】
【補正対象書類名】明細書
【補正対象項目名】００５１
【補正方法】変更
【補正の内容】
【００５１】
他の好ましいバインダーは、イソフタル酸のエステルであり、この中でもイソフタル酸のモノオルガニルエステル及びイソフタル酸のビスオルガニルエステル（オルガニルの例は、アルキル、オキシアルキル、アルケニル、アルキニル、アラルキル、アルキルアリールまたはアリールである）であり、好ましいものは、イソフタル酸のモノアルキルエステル及びイソフタル酸のジアルキルエステル（アルキル＝線状、分枝状、環状もしくは置換された環状、または複素環式C1-C20- アルキル）、例えば、イソフタル酸ジ（2-エチルヘキシル）である。
【手続補正３】
【補正対象書類名】明細書
【補正対象項目名】００５２
【補正方法】変更
【補正の内容】
【００５２】
他の好ましいバインダーは、テレフタル酸のエステルであり、これらの中でもテレフタル酸のモノオルガニルエステル及びテレフタル酸のビスオルガニルエステル（オルガニルの例は、アルキル、オキシアルキル、アルケニル、アルキニル、アラルキル、アルキルアリールまたはアリールである）であり、好ましいものは、テレフタル酸のモノアルキルエステル及びテレフタル酸のジアルキルエステル（アルキル＝線状、分枝状、環状もしくは置換された環状、または複素環式C1-C20- アルキル）である。
【手続補正４】
【補正対象書類名】明細書
【補正対象項目名】００５４
【補正方法】変更
【補正の内容】
【００５４】
他の好ましいバインダーは、アジピン酸エステル、この中でも、アジピン酸のモノオルガニルエステル及びアジピン酸のビスオルガニルエステル（オルガニルの例は、アルキル、オキシアルキル、アルケニル、アルキニル、アラルキル、アルキルアリールまたはアリールである）であり、好ましいものは、アジピン酸モノアルキルエステル及びアジピン酸ジアルキルエステル（アルキル＝線状、分枝状、環状もしくは置換された環状、または複素環式C1-C20アルキル）、例えばアジピン酸ジメチル、アジピン酸ジエチル、アジピン酸ジ-n- プロピル、アジピン酸ジイソプロピル、アジピン酸ジ-n- ブチル、アジピン酸ジイソブチル、アジピン酸ジ-tert-ブチル、アジピン酸ジ(n- オクチル) 、アジピン酸ジ(2- エチルヘキシル) 、アジピン酸ジイソデシル、アジピン酸n-オクチル、アジピン酸2-エチルヘキシル、アジピン酸n-デシル、アジピン酸イソデシル、アジピン酸ジ(2,2,6,6- テトラメチルピペリジン-4- イル) である。
【手続補正５】
【補正対象書類名】明細書
【補正対象項目名】００５６
【補正方法】変更
【補正の内容】
【００５６】
他の好ましいバインダーは、セバシン酸エステルであり、その中でも、セバシン酸のモノオルガニルエステル及びセバシン酸のジオルガニルエステル（オルガニルの例は、アルキル、オキシアルキル、アルケニル、アルキニル、アラルキル、アルキルアリールまたはアリールである）であり、好ましいものは、セバシン酸のモノアルキルエステル及びセバシン酸のジアルキルエステル（アルキル＝線状、分枝状、環状もしくは置換された環状、または複素環式C1-C20アルキル）、例えばセバシン酸ジアルキル、特にセバシン酸ジ（2-エチルヘキシル）、セバシン酸ジ（2,2,6,6-テトラメチルピペリジン-4- イル) 、セバシン酸ジ(1,2,2,6,6- ペンタメチルピペリジン-4- イル) 、セバシン酸ジ(1,2,3,6- テトラメチル-2,6- ジエチル- ピペリジン-4- イル) 、セバシン酸ジ(1- オクチルオキシ-2,2,6,6- テトラメチルピペリジン-4- イル) 、セバシン酸ジ(1- シクロヘキシルオキシ-2,2,6,6- テトラメチルピペリジン-4- イル) である。
【手続補正６】
【補正対象書類名】明細書
【補正対象項目名】００５７
【補正方法】変更
【補正の内容】
【００５７】
他の好ましいバインダーは、テトラヒドロフタル酸のエステル、この中でも、テトラヒドロフタル酸のモノオルガニルエステル及びテトラヒドロフタル酸のビスオルガニルエステル（オルガニルの例は、アルキル、オキシアルキル、アルケニル、アルキニル、アラルキル、アルキルアリールまたはアリールである）であり、好ましいものは、テトラヒドロフタル酸のモノアルキルエステル及びテトラヒドロフタル酸のジアルキルエステル（アルキル＝線状、分枝状、環状もしくは置換された環状、または複素環式C1-C20アルキル）、例えばテトラヒドロフタル酸ジ(2- エチルヘキシル) である。
【手続補正７】
【補正対象書類名】明細書
【補正対象項目名】００５８
【補正方法】変更
【補正の内容】
【００５８】
他の好ましいバインダーは、テトラヒドロイソフタル酸のエステル、その中でも、テトラヒドロイソフタル酸のモノオルガニルエステル及びテトラヒドロイソフタル酸のビスオルガニルエステル（オルガニルの例は、アルキル、オキシアルキル、アルケニル、アルキニル、アラルキル、アルキルアリールまたはアリールである）であり、好ましいものは、テトラヒドロイソフタル酸のモノアルキルエステル及びテトラヒドロイソフタル酸のジアルキルエステル（アルキル＝線状、分枝状、環状もしくは置換された環状、または複素環式C1-C20アルキル）である。
【手続補正８】
【補正対象書類名】明細書
【補正対象項目名】００５９
【補正方法】変更
【補正の内容】
【００５９】
他の好ましいバインダーは、テトラヒドロテレフタル酸のエステルであり、その中でも、テトラヒドロテレフタル酸のモノオルガニルエステル及びテトラヒドロテレフタル酸のビスオルガニルエステル（オルガニルの例は、アルキル、オキシアルキル、アルケニル、アルキニル、アラルキル、アルキルアリールまたはアリールである）であり、好ましいものは、テトラヒドロテレフタル酸のモノアルキルエステル及びテトラヒドロテレフタル酸のジアルキルエステル（アルキル＝線状、分枝状、環状もしくは置換された環状、または複素環式C1-C20アルキル）である。
【手続補正９】
【補正対象書類名】明細書
【補正対象項目名】００６０
【補正方法】変更
【補正の内容】
【００６０】
他の好ましいバインダーは、ヘキサヒドロフタル酸のエステルであり、その中でも、ヘキサヒドロフタル酸のモノオルガニルエステル及びヘキサヒドロフタル酸のビスオルガニルエステル（オルガニルの例は、アルキル、オキシアルキル、アルケニル、アルキニル、アラルキル、アルキルアリールまたはアリールである）であり、好ましいものは、ヘキサヒドロフタル酸のモノアルキルエステル及びヘキサヒドロフタル酸のジアルキルエステル（アルキル＝線状、分枝状、環状もしくは置換された環状、または複素環式C1-C20アルキル）、例えばヘキサヒドロフタル酸ジ(2- エチルヘキシル) である。
【手続補正１０】
【補正対象書類名】明細書
【補正対象項目名】００６１
【補正方法】変更
【補正の内容】
【００６１】
他の好ましいバインダーは、ヘキサヒドロイソフタル酸のエステルであり、その中でも、ヘキサヒドロイソフタル酸のモノオルガニルエステル及びヘキサヒドロイソフタル酸のビスオルガニルエステル（オルガニルの例は、アルキル、オキシアルキル、アルケニル、アルキニル、アラルキル、アルキルアリールまたはアリールである）であり、好ましいものは、ヘキサヒドロイソフタル酸のモノアルキルエステル及びヘキサヒドロイソフタル酸のジアルキルエステル（アルキル＝線状、分枝状、環状もしくは置換された環状、または複素環式C1-C20アルキル）である。
【手続補正１１】
【補正対象書類名】明細書
【補正対象項目名】００６２
【補正方法】変更
【補正の内容】
【００６２】
他の好ましいバインダーは、ヘキサヒドロテレフタル酸のエステル、その中でも、ヘキサヒドロテレフタル酸のモノオルガニルエステル及びヘキサヒドロテレフタル酸のビスオルガニルエステル（オルガニルの例は、アルキル、オキシアルキル、アルケニル、アルキニル、アラルキル、アルキルアリールまたはアリールである）であり、好ましいものは、ヘキサヒドロテレフタル酸のモノアルキルエステル及びヘキサヒドロテレフタル酸のジアルキルエステル（アルキル＝線状、分枝状、環状もしくは置換された環状、または複素環式C1-C20アルキル）である。
【手続補正１２】
【補正対象書類名】明細書
【補正対象項目名】００６３
【補正方法】変更
【補正の内容】
【００６３】
他の好ましいバインダーは、マレイン酸のエステル、その中でも、マレイン酸のモノオルガニルエステル及びマレイン酸のビスオルガニルエステル（オルガニルの例は、アルキル、オキシアルキル、アルケニル、アルキニル、アラルキル、アルキルアリールまたはアリールである）であり、好ましいものは、マレイン酸のモノアルキルエステル及びマレイン酸のジアルキルエステル（アルキル＝線状、分枝状、環状もしくは置換された環状、または複素環式C1-C20アルキル）、例えばマレイン酸ジ(1- ベンジル-2,2,6,6- テトラメチルピペリジン-4- イル) である。
【手続補正１３】
【補正対象書類名】明細書
【補正対象項目名】００６５
【補正方法】変更
【補正の内容】
【００６５】
他の好ましいバインダーは、クエン酸のエステル、この中でも、クエン酸のモノオルガニルエステル及びクエン酸のビスオルガニルエステル（オルガニルの例は、アルキル、オキシアルキル、アルケニル、アルキニル、アラルキル、アルキルアリールまたはアリールである）であり、好ましいものは、クエン酸のモノアルキルエステル及びクエン酸のジアルキルエステル（アルキル＝線状、分枝状、環状もしくは置換された環状、または複素環式C1-C20アルキル）である。